(57)【要約】      （修正有）【課題】緩み防止と盗難防止に効果的なロック装置が内蔵されたボルト構造を提供する。【解決手段】一側端部が固定構造物と固定対象物が重畳して形成されるホールに挿入されるベースボルト１１と、ベースボルト１１の長手方向に沿って中央を貫通して進退可能にねじ締結されるコアボルト１２と、前記ホールに挿入して突出されるベースボルト１１の端部に締結され、前記固定構造物と前記固定対象物が重畳された状態が維持されるようにベースボルト１１に締結されるナット１４と、コアボルト１２の進退によって選択的にナット１４の外面を加圧してベースボルト１１の離脱を防止するロック部材１３と、ベースボルト１１の長手方向に沿ってコアボルト１２と対向されるように中央を貫通して進退可能にねじ締結され、コアボルト１２の端部と接触されてコアボルト１２の進退移動を拘束する拘束部２０とを含む。  【選択図】図５
0003213238.tif 000002
【実用新案登録請求の範囲】
【請求項１】
一側端部が固定構造物１と固定対象物０が重畳して形成されるホール２に挿入されるベースボルト１１と、
前記ベースボルト１１の長手方向に沿って中央を貫通して進退可能にねじ締結されるコアボルト１２と、
前記ホール２に挿入され、突出される前記ベースボルト１１の端部に締結され、前記固定構造物１と前記固定対象物０が重畳された状態が維持されるように前記ベースボルト１１に締結されるナット１４と、
前記コアボルト１２の進退によって選択的に前記ナット１４の外面を加圧して前記ベースボルト１１の離脱を防止するロック部材１３と、
前記ベースボルト１１の長手方向に沿って前記コアボルト１２と対向されるように中央を貫通して進退可能にねじ締結され、前記コアボルト１２の端部と接触されることにより、前記コアボルト１２の進退移動を拘束する拘束部２０と、を含むことを特徴とする、
ロック装置が内蔵されたボルト構造。
【請求項２】
前記ベースボルト１１は、中央には長手方向に沿って内径にねじ山が形成されたねじ貫通孔１１ａが形成され、その外径には、前記ねじ貫通孔１１ａのねじ山と同一方向または逆方向の外径ねじ山１１ｂが形成され、前記ベースボルト１１の頭部は、多角型で形成されたことを特徴とする請求項１に記載のロック装置が内蔵されたボルト構造。
【請求項３】
前記ベースボルト１１の頭部には、前記拘束部２０の端部が収容される収容溝１１ｃが陥没形成されたことを特徴とする請求項２に記載のロック装置が内蔵されたボルト構造。
【請求項４】
前記コアボルト１２は、前記ベースボルト１１の中央に形成されるねじ貫通孔１１ａに対応して締結されるねじ部１２ａと、前記ねじ部１２ａの一側に設けられるヘッド部１２ｂと、前記ねじ部１２ａの他側端に設けられるドライバー溝１２ｃを含むことを特徴とする請求項１に記載のロック装置が内蔵されたボルト構造。
【請求項５】
前記ヘッド部１２ｂの直径は、前記ベースボルト１１外径の直径より小さく形成され、前記コアボルト１２が前記ベースボルト１１に締結された状態で前記ナット１４が前記ベースボルト１１に締結できるようにしたことを特徴とする請求項４に記載のロック装置が内蔵されたボルト構造。
【請求項６】
前記ベースボルト１１の端部内部には、放射方向に配置されて外側に向けて広がるように拡張形成された複数の拡張誘導経路１１ｄが形成され、前記ロック部材１３は前記拡張誘導経路１１ｄに挿入されるピン型で形成されて前記コアボルト１２の移動によって押され、前記ベースボルト１１の外径方向に突出されて前記ナット１４に加圧力を提供することを特徴とする請求項１に記載のロック装置が内蔵されたボルト構造。
【請求項７】
前記拘束部２０は、前記ベースボルト１１の中央に挿入され、端部が前記コアボルト１２の端部と接触されるカウンターロック部材２１と、前記ベースボルト１１の中央に締結され、前記収容溝１１ｃに収容されるフランジ２２と、前記カウンターロック部材２１と、前記フランジ２２との間に配置され、前記カウンターロック部材２１側に弾性を加える弾性スプリング２３とを含むことを特徴とする請求項３に記載のロック装置が内蔵されたボルト構造。
【請求項８】
前記コアボルト１２の端部と接触される前記カウンターロック部材２１の一端部には、突出部材２１ａが突出形成され、前記コアボルト１２の端部に形成されたドライバー溝１２ｃに挿入され、前記カウンターロック部材２１の他端部には、多角型の縦断面を有する多角部材２１ｂが形成されて前記フランジ２２の中央に貫通形成された多角型の貫通孔２２ａに挿入されることを特徴とする請求項７に記載のロック装置が内蔵されたボルト構造。
【請求項９】
前記多角部材２１ｂの内側中央領域には、内面にねじ山が形成された締結孔が貫通形成され、前記フランジ２２を前記ベースボルト１１に締結する締結道具３には、前記締結孔に締結されるように外面にねじ山が形成された締結凸部３ａと、前記多角部材２１ｂを収容するように収容溝が形成されてスライディング方式で移動可能に設置される収容部材３ｂとを備えた締結道具３を収容することを特徴とする請求項８に記載のロック装置が内蔵されたボルト構造。
【考案の詳細な説明】
【技術分野】
【０００１】
本考案は、固定手段（ボルトとナット）に関するものであって、さらに詳しくはベースボルトを貫通したコアボルトの絞りによってロック部材（Ｌｏｃｋｉｎｇ  Ｕｎｉｔ）が拡張性形体変形、または位置変更されて固定部位を加圧する物理的性質と仕組みとなって、振動と圧力を伴う構造物にナットが緩まずにロック部材を拘束するカウンターロック部材があって、緩み防止と盗難防止に効果的な、ロック装置が内蔵されたボルト構造｛ＩＮＳＥＲＴＥＤ  ＬＯＣＫＩＮＧ  ＤＥＶＩＣＥ  ＯＦ  ＢＯＬＴ  ＳＴＲＵＣＴＵＲＥ｝に関するものである。
【背景技術】
【０００２】
一般的に、固定手段中の一種類であるねじを含むボルトは、ヘッド（Ｈｅａｄ）とねじ部（ねじ山で構成されたボディ）で構成されており、複数の部品や構造物または被固定対象物を結合するために貫通ホールに引入れた後、ナットで締結する固定手段である。  
【０００３】
ボルト締結は、両方向性、つまりボルトヘッドとナットが両方向で被固定対象を咬むので、両方向トルクが発生して物理的に抜けない構造であるが、ねじ山の軸を基準に一面には摩擦が発生し、他の面は間隔が発生する。このような相反する原理でナットは振動によって緩む。
【０００４】
最近は、振動発生時にナット緩みトルク抵抗値を向上させるスプリングワッシャーなどが多数紹介されたが、持続的な振動では緩みが発生する。
【０００５】
例えば、常時振動を伴う構造物である橋梁（吊り橋、斜張橋、アーチ橋、ラーメン橋、トラス橋、等）及び活動で振動を伴う橋脚構造物（高架鉄図や高架地下鉄、高架道路）などの場合、構造物そのものをボルト結合し、または、構造物に取り付けられる各種サービス施設物などをボルト締結することで、持続的な振動時ボルト緩みの危険が露出され、毎年かなりの維持保守費用が発生する。  
【０００６】
また、化学プラント、原子炉などは、安全上致命的な危険にさらされるため、毎年圧力配管フランジなどナット緩み防止のために相当な維持保守活動を行う。  
【０００７】
図１は、ボルトとナットが締結された断面図である。
【０００８】
添付図を通じてさらに詳しく説明すると、図１に示された通りナットが締結されたボルトのねじ山を軸にした面には摩擦が発生し、他の一面は間隔が発生する。このような間隔は、ナットの締結及び解体のために必ず必要であるが、持続的な振動時ナットが緩む原因になる。
【０００９】
また、開発途上国の場合、道路施設物などに頻繁に盗難が発生する。ボルトとナットの締結は非常に直観的であるため単純道具であるスパナだけで解体が容易である。例えば、道路施設物として表示板などは、合金で高価な素材であり、売買が容易なので、開発途上国の場合、盗難事故が頻繁に発生する。
【００１０】
このような場合、多数のボルト締結構造中に一つのボルトとナット構造に盗難防止装置があれば、盗難意志の喪失につながることになる。例えば高価な車両のホイールとタイヤの場合、多角の一般的なボルト構造のほかに一つの特殊ボルトを構成することが盗難防止に非常に効果的であることが実例である。  
【考案の概要】
【考案が解決しようとする課題】
【００１１】
本考案は、前記のような従来技術の問題点を解消するためのものであって、ベースボルトを貫通したコアボルトの絞りによってロック部材（Ｌｏｃｋｉｎｇ  Ｕｎｉｔ）が拡張性形体変形、又は位置変更されてナットを拘束する性質と仕組みを備え、振動と圧力を伴う構造物においてナットが緩まずにロック部材（Ｌｏｃｋｉｎｇ  Ｕｎｉｔ）を拘束するカウンターロック部材（Ｃｏｕｎｔｅｒ  Ｌｏｃｋｉｎｇ  Ｕｎｉｔ）を有し、緩み防止と盗難防止に効果的なロック装置が内蔵されたボルト構造を提供することに目的がある。
【課題を解決するための手段】
【００１２】
本考案は、前記のような問題を解決するために案出されたものであって、一側端部が固定構造物と、固定対象物が重畳して形成されるホールに挿入されるベースボルトと、前記ベースボルトの長手方向に沿って中央を貫通して進退可能にねじ締結されるコアボルトと、前記ホールに挿入して突出される前記ベースボルトの端部に締結され、前記固定構造物と前記固定対象物が重畳された状態が維持されるように前記ベースボルトに締結されるナットと、前記コアボルトの進退によって選択的に前記ナットの外面を加圧して前記ベースボルトの離脱を防止するロック部材と、前記ベースボルトの長手方向に沿って前記コアボルトと対向されるように中央を貫通して進退可能にねじ締結されて前記コアボルトの端部と接触されることにより、前記コアボルトの進退移動を拘束する拘束部を含む方が好ましい。
【００１３】
前記ベースボルトは、中央には長手方向に沿って内径にねじ山が形成されたねじ貫通孔が形成され、その外径には前記ねじ貫通孔のねじ山と同一方向または逆方向の外径ねじ山が形成され、前記ベースボルトの頭部は多角型で形成されることが好ましい。
【００１４】
前記ベースボルトの頭部には、前記拘束部の端部が収容される収容溝が陥没形成されることが効果的である。  
【００１５】
前記コアボルトは、前記ベースボルトの中央に形成されるねじ貫通孔に対応して締結されるねじ部と、前記ねじ部の一側に設けられるヘッド部と、前記ねじ部の他側端に設けられるドライバー溝を含むことが好ましい。
【００１６】
前記ヘッド部の直径は、前記ベースボルト外径の直径より小さく形成されて前記コアボルトが前記ベースボルトに締結された状態で前記ナットが前記ベースボルトに締結できるようにすることが効果的である。
【００１７】
前記ベースボルトの端部内部には放射方向に配置され、外側に向けて広がるように拡張形成された複数の拡張誘導経路が形成され、前記ロック部材は前記拡張誘導経路に挿入されるピン型で形成されて前記コアボルトの移動によって押されて前記ベースボルトの外径方向に突出されて前記ナットに加圧力を提供することが好ましい。  
【００１８】
前記拘束部は、前記ベースボルトの中央に挿入され、端部が前記コアボルトの端部と接触されるカウンターロック部材と、前記ベースボルトの中央に締結され、前記収容溝に収容されるフランジと、前記カウンターロック部材と前記フランジとの間に配置され、前記カウンターロック部材側に弾性を加える弾性スプリングを含むことが効果的である。  
【００１９】
前記コアボルトの端部と接触される前記カウンターロック部材の一端部には、突出部材が突出形成され、前記コアボルトの端部に形成されたドライバー溝に挿入され、前記カウンターロック部材の他端部には多角型の縦断面を有する多角部材が形成されて前記フランジの中央に貫通形成された多角型の貫通孔に挿入されることが好ましい。  
【００２０】
多角部材の内側中央領域には、内面にねじ山が形成された締結孔が貫通形成され、前記フランジを前記ベースボルトに締結する締結道具には、前記締結孔に締結されるように外面にねじ山が形成された締結凸部が形成されることが効果的である。
【００２１】
前記多角部材の内側中央領域には、内面にねじ山が形成された締結孔が貫通形成され、前記フランジを前記ベースボルトに締結する締結道具には、前記締結孔に締結されるように外面にねじ山が形成された締結凸部と、前記多角部材を収容するように収容溝が形成されてスライディング方式で移動可能に設置される収容部材を備えた締結道具を収容することが効果的である。
【考案の効果】
【００２２】
以上のような本考案によると、固定構造物１のホール２にベースボルト１１がインサートされた状態で、ベースボルト１１中央の内径にねじ山が形成された貫通孔１１ａを介して道具（ドライバー）を引き入れてコアボルト１２の先端に形成されたドライバー溝１２ｃに差し込んで回転させ、コアボルト１２が固定構造物１の外側方向に前進されるようにし、この過程でコアボルト１２のヘッド１２ｂとベースボルト１１の一側端の間に位置したロック部材１３がナット１４に加圧力を加えることで、前記ホール２内で固定手段１０が脱離されないように堅固な固定状態を維持させる効果がある。  
【００２３】
従来のボルトとナットの構造の場合、ロックと緩みが直観的であるため、一般の市中で購買できるスパナ一つならいくらでも設置と解体ができる。しかし、本考案品の場合、特殊考案された装備でなければ非常に解体が難解で解体方式を分からないと解体が不可能である。例えば、後進国や開発途上国の場合、道路表示板など、道路の付着物の盗難事故が頻繁である。この場合、本考案品で装着すれば、盗難防止効果に優れる。
【００２４】
従来のボルトとナットの緩み防止機能が緩み止めトルクを極大化させる方法であるのに対し、本考案品は物理的な形状で完全に締めるため人為的に特定の道具で解体をしなくては絶対にナットが緩まない。  
【００２５】
全てのナットの緩みは、根本的にねじ山の一面摩擦と反対側のねじ山の許容間隔で振動の際緩む。よって、スプリングワッシャーなどを用いて摩擦範囲を極大化させるが引き続く振動により緩みの恐れが高い。即ち、振動を伴う構造物に効果的である。橋脚、橋梁及び鉄道レールなど常時振動が誘発される区間に緩み止めが永久的で、また破壊なしで解体ができ、維持保守費用低減にも非常に効果的である。また、発電所などに使用する圧力配管、タービンなど、高圧を伴う配管類にナットの緩みは致命的な事故を引き起こす。そのため、全てのボルトを周期的な検査でナットの緩みを測定し、また維持保守を行う。
本考案品は、高圧配管類において画期的な製品であって、装着の際物理的構造のロック装置の絶対ナットが緩まない構造である。
【００２６】
また、宇宙船がマッハの速度や光速で宇宙飛行中、振動や衝撃により機体からボルトが緩む恐れを取り除くことができる。    
【００２７】
原子炉や化学工場（ｃｈｅｍｉｃａｌ  ｐｌａｎｔ）など致命的な安全事故が憂慮される場合、緩み防止または外部侵入者によるボルト緩みなどを防止することができる。
【図面の簡単な説明】
【００２８】
【図１】ボルトとナットが締結された断面図である。
【図２】本考案によるロック装置が内蔵されたボルト構造を前面から眺めた構造を示した斜視図である。
【図３】本考案によるロック装置が内蔵されたボルト構造を後面から眺めた構造を示した斜視図である。
【図４】本考案によるロック装置が内蔵されたボルト構造の縦断面の構造を示した断面図である。
【図５】本考案によるロック装置が内蔵されたボルト構造を分解して示した分解斜視図である。
【図６】本考案によるロック装置が内蔵されたボルト構造が分解された縦断面の構造を示した分解断面図である。
【図７ａ】本考案によるロック装置が内蔵されたボルト構造を組み立てる過程を示した組立図である。
【図７ｂ】本考案によるロック装置が内蔵されたボルト構造を組み立てる過程を示した組立図である。
【図７ｃ】本考案によるロック装置が内蔵されたボルト構造を組み立てる過程を示した組立図である。
【図７ｄ】本考案によるロック装置が内蔵されたボルト構造を組み立てる過程を示した組立図である。
【図８】本考案によるロック装置が内蔵されたボルト構造が組み立てられた構造を切開して示した切開斜視図である。
【考案を実施するための形態】
【００２９】
以下では、本考案の好ましい実施例及び添付する図面を参照して本考案を詳しく説明する。図面の同一参照符号は同一構成要素を示す。
【００３０】
考案の詳細な説明または実用新案登録請求の範囲において、いずれか一つの構成要素が他の構成要素を『含む』とは、特に反対する記載がない限り当該構成要素だけで構成されたものに限られて解釈されず、他の構成要素を更に含むことができると理解されなければならない。
【００３１】
図２は、本考案によるロック装置が内蔵されたボルト構造を前面から眺めた構造を示した斜視図であり、図３は、本考案によるロック装置が内蔵されたボルト構造を後面から眺めた構造を示した斜視図であり、図４は、本考案によるロック装置が内蔵されたボルト構造の縦断面の構造を示した断面図であり、図５は、本考案によるロック装置が内蔵されたボルト構造を分解して示した分解斜視図であり、図６は、本考案によるロック装置が内蔵されたボルト構造が分解された縦断面の構造を示した分解断面図であり、図７ａ乃至図７ｄは、本考案によるロック装置が内蔵されたボルト構造を組み立てる過程を順次的に示した組立図であり、図８は、本考案によるロック装置が内蔵されたボルト構造が組み立てられた構造を切開して示した切開斜視図である。  
【００３２】
以上のように提示した添付図を参考にして、本考案を説明すると次の通りである。
【００３３】
これらの図面に示した通り、本考案によるロック装置が内蔵されたボルト構造は、一側端部が固定構造物１と固定対象物０が重畳して形成されるホール２に挿入されるベースボルト１１と、前記ベースボルト１１の長手方向に沿って中央を貫通して進退可能にねじ締結されるコアボルト１２と、前記ホール２に挿入して突出される前記ベースボルト１１の端部に締結され、前記固定構造物１と前記固定対象物０が重畳された状態が維持されるように前記ベースボルト１１に締結されるナット１４と、前記コアボルト１２の進退によって選択的に前記ナット１４の外面を加圧して前記ベースボルト１１の離脱を防止するロック部材１３と、前記ベースボルト１１の長手方向に沿って前記コアボルト１２と対向されるように中央を貫通して進退可能にねじ締結されて前記コアボルト１２の端部と接触されることで前記コアボルト１２の進退移動を拘束する拘束部２０と、を含んで構成されている。
【００３４】
まず、ベースボルト１１に締結されるナット１４の構成は省略可能であるが、ナット１４の構成によりナット１４はトルクを提供して固定構造物１のホール２にインサートされた部分を引っ張って更に大きな固定力を提供し、または固定対象物０を固定させる機能を提供することができる。
【００３５】
以下、本考案による固定手段１０を具体的に説明すると、ベースボルト１１は、中央に長手方向に沿って内径にねじ山が形成されたねじ貫通孔１１ａが設けられたブロック体であって、ブロック体の外径は、前記ねじ貫通孔１１ａのねじ山と同一方向または逆方向の外径ねじ山１１ｂが設けられ、無頭ボルトの形で構成されることもあり、多角型の角ばった形で構成されることもあり、突起が長手方向に沿って歯の形で構成されることもできる。
【００３６】
この時、前記外径ねじ山１１ｂは、ベースボルト１１の外径の全体に形成されることもできるが、ナット１４または固定対象物０が結合される端部の外径の一部のみ形成されることもできる。
【００３７】
そして、ベースボルト１１の頭部には、拘束部２０の端部が収容される収容溝１１ｃが陥没形成され、拘束部２０の端部の板面とベースボルト１１の端部の板面とが並ぶようにすることで、拘束部２０をベースボルト１１から容易に分離できないようにするのが好ましい。  
【００３８】
つまり、拘束部２０をベースボルト１１に設置完了時に、拘束部２０が収容溝１１ｃに完全に収容されて外部に突出した形態を成さないようにすることで、ペンチやニッパーのような道具を用いてベースボルト１１の外部に突出された拘束部２０の一部分を取ってベースボルト１１から拘束部２０を分離させないようにすることができる効果がある。
【００３９】
また、前記ベースボルト１１の端部内部には、放射方向に配置され、外側に向けて広がるように拡張形成された複数の拡張誘導経路１１ｄが形成されている。  
【００４０】
拡張誘導経路１１ｄは、ロック部材１３が内部に挿入されて収容されるようにする役割を果たし、コアボルト１２の進退移動に沿ってロック部材１３が選択的にベースボルト１１の内外部へ放射方向に引き出し入れるようにする。  
【００４１】
コアボルト１２は、ベースボルト１１の中央に形成されるねじ貫通孔１１ａに対応して締結されるねじ部１２ａと、ねじ部１２ａの一側に設けられたヘッド部１２ｂと、ねじ部１２ａの他側端に設けられたドライバー溝１２ｃとを含めて構成されることができる。
【００４２】
ヘッド部１２ｂは、円型のブロック体であって、先端は半球型またはくさび型から成ることもあり、平面から成ることもある。
【００４３】
そして、ヘッド部１２ｂの直径は、ベースボルト１１外径の直径より小さく形成されてコアボルト１２がベースボルト１１に締結された状態でナット１４がベースボルト１１に締結できるようにすることが好ましい。  
【００４４】
ドライバー溝１２ｃは、一字型や十字型または特定型の溝から成ることができ、コアボルト１２の引張強度は一般ボルトまたは高張力ボルトと同一、または高い数値から成ることが好ましい。
【００４５】
そして、ベースボルト１１は、コアボルト１２に比べて相対的に軟性であることが好ましいが、両方とも同一剛性を有することもあり、ベースボルト１１とコアボルト１２の材質は鉄が主部材であるが、アルミニウム材またはステンレス系またはプラスチック材質で形成できることは無論である。
【００４６】
前記限定された引張強度、強度の程度や材質は、本考案の固定手段１０が適用される分野と寿命及び必要に応じて選択的に設計適用されるのが好ましい。
【００４７】
ロック部材１３の材質は、合成樹脂材であり、金属材であり、前記材質の複合体である場合もある。
【００４８】
このようなロック部材１３は、ベースボルト１１に形成された拡張誘導経路１１ｄに挿入されるピン型で形成されてコアボルト１２の移動によって押され、ベースボルト１１の外径方向に突出されナット１４に加圧力を提供する。  
【００４９】
一方、拘束部２０は、ベースボルト１１の長手方向に沿ってコアボルト１２と対向されるように中央を貫通して進退可能にねじ締結され、コアボルト１２の端部と接触されることにより、コアボルト１２の進退移動を拘束してロック部材１３がベースボルト１１の外側に引出され、ナット１４に加圧力を提供する状態を維持するようにする役割を果たす。
【００５０】
このような拘束部２０は、ベースボルト１１の中央に挿入され、端部がコアボルト１２の端部と接触されるカウンターロック部材２１と、ベースボルト１１の中央に締結され、収容溝１１ｃに収容されるフランジ２２と、カウンターロック部材２１とフランジ２２との間に配置され、カウンターロック部材２１側に弾性を加える弾性スプリング２３を含めて構成される。  
【００５１】
コアボルト１２の端部と接触されるカウンターロック部材２１の一端部には、突出部材２１ａが突出形成されてコアボルト１２の端部に形成されたドライバー溝１２ｃに挿入され、カウンターロック部材２１の他端部には、多角型の縦断面を有する多角部材２１ｂが形成されてフランジ２２の中央に貫通形成された多角型の貫通孔２２ａに挿入される。  
【００５２】
突出部材２１ａの形状は、ドライバー溝１２ｃと対応される形状で形成され、ドライバー溝１２ｃに挿入されて咬合するようになるが、ドライバー溝１２ｃが一字型の溝で形成された場合は突出部材２１ａは一字型に突出して形成され、ドライバー溝１２ｃが十字型の溝で形成された場合には突出部材２１ａは十字型に突出して形成され、相互咬合するようになる。
【００５３】
多角部材２１ｂは、多角型の縦断面を有する部材で形成されるが、本考案の一実施例の場合には、六角型の縦断面を有するように形成され、六角型で形成された貫通孔２２ａに挿入される。  
【００５４】
このような多角部材２１ｂの内部中央領域には、一定の長さを有する締結孔が貫通形成され、締結孔の内面には締結道具３に形成された締結凸部３ａと咬合するようにねじ山が形成されている。  
【００５５】
フランジ２２は、一側面が屈曲されるように形成されてベースボルト１１に形成された収容溝１１ｃに収容され、一側面と対向側の他側面は平坦に形成されてフランジ２２が収容溝１１ｃに収容時、ベースボルト１１の外側に突出される領域が存在しないようにすることが好ましい。
【００５６】
フランジ２２の中央領域には、その長手方向に沿って貫通孔２２ａが貫通形成され、カウンターロック部材２１に形成された多角部材２１ｂが貫通孔２２ａを介してフランジ２２の外部に突出されるようにする。
【００５７】
従って、ねじ山で締結されるコアボルト１２とフランジ２２は、カウンターロック部材２１により両方向が拘束される。
【００５８】
そして、外部に突出される多角部材２１ｂには、締結凸部３ａが締結できるように内面にねじ山が形成された締結孔が形成され、フランジ２２をベースボルト１１に締結する締結道具３には、多角部材２１ｂの締結孔に締結される締結凸部３ａと、多角部材２１ｂを収容するようにスライディング方式で移動し、収容溝が形成された収容部材３ｂが備えられて拘束部２０の解除ができるようにする。
【００５９】
よって、拘束部２０は、前記締結孔に締結されるように外面にねじ山が形成された締結凸部３ａと、多角部材２１ｂを収容するようにスライディング方式で移動し、収容溝が形成された収容部材３ｂが備えられた締結道具３のような特別な工具を用意しなくては任意に解除されないようにすることができる。
【００６０】
弾性スプリング２３は、カウンターロック部材２１とフランジ２２との間に配置され、カウンターロック部材２１側に弾性を加えることで、カウンターロック部材２１の突出部材２１ａがコアボルト１２のドライバー溝１２ｃに咬合された状態が堅固に維持できるようにする役割を果たす。
【００６１】
上述したような構成を有する本考案によるロック装置が内蔵されたボルト構造を用いて固定構造物に固定対象物を固定させる過程を図７ａ乃至図７ｄを参照して説明すると次のとおりである。
【００６２】
まず、図７ａに示した通り、固定構造物１と固定対象物０が重畳されるように配置して固定構造物１と固定の対象物に形成されたホール２が一致するようにした状態でベースボルト１１をホール２に挿入する。  
【００６３】
そして、図７ｂに示した通り、ホール２を通過して固定構造物１の内側に突出されるベースボルト１１の端部にナット１４を堅固に締結して固定構造物１に固定対象物０が固定されるようにする。
【００６４】
その後、ナット１４が任意に緩むことを防止できるようにコアボルト１２のドライバー溝１２ｃにドライバーを挿入した後、ドライバーを回転させてコアボルト１２の外面に形成されたねじ部１２ａがベースボルト１１のねじ貫通孔１１ａに締結されてベースボルト１１の内側に引入れられるようにする。
【００６５】
図７ｃに示した通り、コアボルト１２の引入れが持続的に進めば、コアボルト１２のヘッド部１２ｂがロック部材１３を押してロック部材１３が拡張誘導経路１１ｄの面に乗って放射状（傘骨のように）に誘導され、外部へ引出されてナット１４の外面を加圧して任意にナット１４が緩まないようにする。
【００６６】
もし、ベースボルト１１を固定構造物１の穴に差し込んだ状態でベースボルト１１に形成されたねじ貫通孔１１ａにドライバーを挿入した後、ドライバーを回転させると、コアボルト１２のねじ部１２ａが、螺旋貫通孔１１ａに沿ってベースボルト１１の内部に引入れられ、これによってヘッド部１２ｂがピン型のロック部材１３を押し、ナット１４の外面を加圧して任意にナット１４が緩まないようにすることができる。
【００６７】
そして、拘束部２０のカウンターロック部材２１に弾性スプリング２３を挿入し、フランジ２２に多角部材２１ｂが突出されるようにした後、コアボルト１２が締結された対向側方向のねじ貫通孔１１ａに拘束部２０を引入れ、締結道具３の締結凸部３ａを多角部材２１ｂの締結孔に締結した後に引っ張って多角部材２１ｂが突出されるようにした後、締結道具３にスライディング方式で移動可能に備えられた収容部材３ｂを押して多角部材２１ｂを収容部材３ｂに形成された収容溝に収容させた状態で締結道具３を時計回りに回転させ、図７ｄに示した通り、フランジ２２がねじ貫通孔１１ａに締結されるようにする。
【００６８】
フランジ２２が締結された後、締結道具３を解体すれば、弾性スプリング２３がカウンターロック部材２１を加圧し、カウンターロック部材２１端部の突出部材２１ａがコアボルト１２のドライバー溝１２ｃに挿入されて咬合された状態が維持されるようにする。
【００６９】
このような状態では、コアボルト１２の回転が拘束されるため、コアボルト１２のヘッド部１２ｂによってロック部材１３が突出され、ナット１４に加圧力を提供する状態が堅固に維持できるので、本考案による拘束手段が任意に解除されず、固定構造物１に固定対象物０を堅固に固定させることができるようになる。
【００７０】
本考案によるロック装置が内蔵されたボルト構造を解体する過程は、上述の固定させる動作の逆順で進行するが、これを詳しく説明すると次のとおりである。
【００７１】
まず、締結道具３を時計回りに回転させて締結凸部３ａがカウンターロック部材２１の多角部材２１ｂに形成された締結孔に締結されるようにし、締結凸部３ａの締結が完了すれば、締結凸部３ａが締結時に前進される方向の反対方向で締結道具３を引っ張ってカウンターロック部材２１の突出部材２１ａがコアボルト１２のドライバー溝１２ｃから離脱されるようにする。
【００７２】
その後、カウンターロック部材２１の突出部材２１ａがコアボルト１２のドライバー溝１２ｃから離脱された状態で締結道具３に備えられた収容部材３ｂをスライディング方式で移動させて多角部材２１ｂが収容部材３ｂの収容溝に収容されて拘束されるようにした後、反時計回りに回転させるとカウンターロック部材２１が反時計回りに回転しつつフランジ２２の貫通孔２２ａに挿入された六角型の多角部材２１ｂがフランジ２２を反時計回りに回転させるようになって、フランジ２２がねじ貫通孔１１ａから離脱される。
【００７３】
フランジ２２がねじ貫通孔１１ａから離脱され、カウンターロック部材２１の突出部材２１ａがコアボルト１２のドライバー溝１２ｃから完全に離脱されれば、コアボルト１２が緩むようにして、ロック部材１３がナット１４側に提供する加圧力が解除されるので、ナット１４を解体できるようになる。  
【００７４】
以上、一実施例を通じて本考案の技術的思想を説明した。
【００７５】
本考案の属する技術分野における通常の知識を有する者が本考案の記載事項から前記説明した実施例を多様に変形し、または変更できることは自明である。また、たとえ明示的に図示されず、または説明されなかったとしても本考案の属する技術分野における通常の知識を有する者が本考案の記載事項から本考案による技術的思想を含む多様な形の変形ができることは自明であり、これは依然として本考案の権利範囲に属する。
添付する図面を参照して説明された前記の実施例は本考案を説明するための目的で記述されたものであり、本考案の権利範囲はこれらの実施例に限られない。
【００７６】
本考案は、固定対象物を固定させる建築、土木及び機械組立技術分野に適用されることができる。
【符号の説明】
【００７７】
３      締結道具            
３ａ    締結凸部
３ｂ    収容部材          
１０    固定手段
１１    ベースボルト                    
１１ａ  ねじ貫通孔
１１ｂ  外径ねじ山        
１１ｃ  収容溝
１１ｄ  拡張誘導経路
１２    コアボルト
１２ａ  ねじ部        
１２ｂ  ヘッド部
１２ｃ  ドライバー溝
１３    ロック部材
２０    拘束部
２１    カウンターロック部材
２２    フランジ
２３    弾性スプリング
【図１】
0003213238.tif 000003
【図２】
0003213238.tif 000004
【図３】
0003213238.tif 000005
【図４】
0003213238.tif 000006
【図５】
0003213238.tif 000007
【図６】
0003213238.tif 000008
【図７ａ】
0003213238.tif 000009
【図７ｂ】
0003213238.tif 000010
【図７ｃ】
0003213238.tif 000011
【図７ｄ】
0003213238.tif 000012
【図８】
0003213238.tif 000013